(57)【要約】【課題】カバーの閉め忘れを防止して操作部に塵埃を入り難くする。【解決手段】セキュリティ端末は、本体と、本体を予め定められた被取付部に取り付けるためのベース部材と、を備え、本体は、操作部と、操作部を収納するケースと、操作部を覆うカバーであって、ケースの外側に移動することで操作部へのアクセスを可能にするカバーと、を有し、ベース部材は、ケースを被取付部の内部に挿入可能な開口を有し、カバーが閉められた閉位置にあるときのケースとカバーとを開口から見たときのカバーの移動方向の大きさは、開口の同方向の大きさよりも小さく、カバーが閉位置にないときのケースとカバーとを開口から見たときの同方向の大きさは、開口の前記同方向の大きさよりも大きい。【選択図】図８
2019028726.tif 000002
【特許請求の範囲】
【請求項１】
セキュリティ端末であって、
本体と、
前記本体を予め定められた被取付部に取り付けるためのベース部材と、
を備え、
前記本体は、
操作部と、
前記操作部を収納するケースと、
前記操作部を覆うカバーであって、前記ケースの外側に移動することで前記操作部へのアクセスを可能にするカバーと、
を有し、
前記ベース部材は、前記ケースを前記被取付部の内部に挿入可能な開口を有し、
前記カバーが閉められた閉位置にあるときの前記ケースと前記カバーとを前記開口から見たときの前記カバーの移動方向の大きさは、前記開口の同方向の大きさよりも小さく、前記カバーが前記閉位置にないときの前記ケースと前記カバーとを前記開口から見たときの前記同方向の大きさは、前記開口の前記同方向の大きさよりも大きい、セキュリティ端末。
【請求項２】
請求項１に記載のセキュリティ端末であって、
前記ケースは、前記カバーの移動を案内する案内部を有し、
前記カバーと前記案内部は、前記カバーの前記閉位置から前記閉位置でない位置に移動させるのに要する力が、前記閉位置を除く位置での前記カバーの移動に要する力よりも大きくなるように設けられた係合機構を備える、セキュリティ端末。
【請求項３】
請求項２に記載のセキュリティ端末であって、
前記係合機構は、
前記案内部と前記カバーのうちの一方の部材に設けられ、他方の部材の側に突出する第１突起と、
前記他方の部材に設けられ前記一方の部材の側に突出する第２突起と、
を有し、
前記カバーが前記閉位置にあるときには、前記第１突起と前記第２突起とが係合して前記カバーを前記ケースよりも外側にはみ出させず、
前記カバーが前記閉位置にないときには、前記第１突起が前記第２突起からずれて、前記カバーを前記ケースよりも外側にはみ出させる、セキュリティ端末。
【請求項４】
請求項３に記載のセキュリティ端末であって、
前記第２突起は、前記第１突起よりも前記移動方向の大きさが大きく、
前記第２突起は、凹部を有し、
前記カバーが前記閉位置にあるとき、前記第１突起と前記第２突起との前記係合は、前記第１突起と前記凹部との係合により実現される、セキュリティ端末。
【請求項５】
請求項４に記載のセキュリティ端末であって、
前記第１突起は前記案内部に設けられ、
前記第２突起は、前記カバーに設けられている、セキュリティ端末。
【請求項６】
請求項５に記載のセキュリティ端末であって、
前記第２突起は、前記カバーの端面から前記案内部に沿った方向にも突出している、セキュリティ端末。
【請求項７】
請求項１から６のいずれか一項に記載のセキュリティ端末であって、
前記カバーは、前記カバーの端面にリブを有する、セキュリティ端末。
【請求項８】
請求項１から７のいずれか一項に記載のセキュリティ端末であって、
前記ケースは、前記カバーを閉めるときに、前記閉位置で前記カバーを係止する第１ストッパを有する、セキュリティ端末。
【請求項９】
請求項１から８のいずれか一項に記載のセキュリティ端末であって、
前記ケースは、前記カバーを開けるときに前記カバーを前記操作部へのアクセスが可能な全開位置で係止する第２ストッパを備える、セキュリティ端末。
【発明の詳細な説明】
【技術分野】
【０００１】
本発明は、セキュリティ端末に関する。
【背景技術】
【０００２】
近年、ＩＤカードを用いた認証や指紋などの個人認証を行なわないと、入室できないといったセキュリティシステムが広く用いられ、家屋や居室、事務所スペースなどのセキュリティの向上が図られている。こうしたセキュリティシステムでは、セキュリティの解除・設定などを行なったり、認証作業を行なったりするセキュリティ端末を壁や扉などに設け、セキュリティシステムとの間で通信を行なうといった構成が知られている（例えば、特許文献１参照）。
【０００３】
こうしたセキュリティ端末を壁などに設置する場合、従来からスイッチ配線機器などを収納するＪＩＳボックスといった方式が標準化されている（例えば、特許文献２参照）。このため、セキュリティ端末も、こうした壁等の内部に収納される標準的なボックス内に収納することが求められている。
【先行技術文献】
【特許文献】
【０００４】
【特許文献１】特開２０１６−１２６３９６号公報
【特許文献２】特開２００５−２４４３７３号公報
【発明の概要】
【発明が解決しようとする課題】
【０００５】
セキュリティ端末では、その動作モードや種々の動作条件などを設定する場合があり、設定用のジャンパーピンやディップスイッチなどの設定器が設けられることがある。こうした設定器は、セキュリティに係わるため、セキュリティ端末の表面など、だれでもアクセスできる場所に設けることは避けたい。他方、セキュリティ端末の背面、つまり壁内などに埋設される部分に設けると、防塵性がなく、信頼性の観点で望ましいと言えない。かといって、設定器をセキュリティ端末の内部に設けると、動作条件などの設定を変更する際に、いちいちセキュリティ端末を分解しなければならない。そこで、セキュリティ端末では、こうした設定器の望ましい配置が求められていた。
【課題を解決するための手段】
【０００６】
本発明は、上述の課題の少なくとも一部を解決するためになされたものであり、以下の形態として実現することが可能である。
【０００７】
（１）本発明の一形態によれば、被取付部に取り付けられるセキュリティ端末が提供される。このセキュリティ端末は、本体と、前記本体を予め定められた被取付部に取り付けるためのベース部材と、を備え、前記本体は、操作部と、前記操作部を収納するケースと、前記操作部を覆うカバーであって、前記ケースの外側に移動することで前記操作部へのアクセスを可能にするカバーと、を有し、前記ベース部材は、前記ケースを前記被取付部の内部に挿入可能な開口を有し、前記カバーが閉められた閉位置にあるときの前記ケースと前記カバーとを前記開口から見たときの前記カバーの移動方向の大きさは、前記開口の同方向の大きさよりも小さく、前記カバーが前記閉位置にないときの前記ケースと前記カバーとを前記開口から見たときの前記同方向の大きさは、前記開口の前記同方向の大きさよりも大きい。
この形態によれば、カバーが閉められた閉位置にあるときにはケースとカバーとを開口の中に挿入できるが、カバーが閉位置にないときには、ケースとカバーとを開口の中に挿入できないので、カバーの閉め忘れを防止して操作部に塵埃を入り難くできる。
【０００８】
（２）上記形態において、前記ケースは、前記カバーの移動を案内する案内部を有し、前記カバーと前記案内部は、前記カバーの前記閉位置から前記閉位置でない位置に移動させるのに要する力が、前記閉位置を除く位置での前記カバーの移動に要する力よりも大きくなるように設けられた係合機構を備えてもよい。
この形態によれば、ケースを開口に挿入するときや、挿入後において、係合機構によってカバーを閉位置から移動し難くできる。
【０００９】
（３）上記形態において、前記係合機構は、前記案内部と前記カバーのうちの一方の部材に設けられ、他方の部材の側に突出する第１突起と、前記他方の部材に設けられ前記一方の部材の側に突出する第２突起と、を有し、前記カバーが前記閉位置にあるときには、前記第１突起と前記第２突起とが係合して前記カバーを前記ケースよりも外側にはみ出させず、前記カバーが前記閉位置にないときには、前記第１突起が前記第２突起からずれて、前記カバーを前記ケースよりも外側にはみ出させてもよい。
この形態によれば、カバーが閉位置にあるときには、第１突起と第２突起とが契合することで、カバーをケースよりも外側にはみ出させず、カバーが閉位置にないときには、第１突起が第２突起からずれて、カバーをケースよりも外側にはみ出させるので、ケースを開口に挿入するときに、カバーの閉め忘れを気づかせることができる。
【００１０】
（４）上記形態において、前記第２突起は、前記第１突起よりも前記移動方向の大きさが大きく、前記第２突起は、凹部を有し、前記カバーが前記閉位置にあるとき、前記第１突起と前記第２突起との前記係合は、前記第１突起と前記凹部との係合により実現されてもよい。
この形態によれば、カバーが閉位置にあるときには、第１突起と第２突起中の凹部とが係合して係合が実現されるので、係合状態からカバーが移動し難い。
【００１１】
（５）上記形態において、前記第１突起は前記案内部に設けられ、前記第２突起は、前記カバーに設けられていてもよい。
この形態によれば、第２突起の大きさを変えることで、カバーが閉位置にないときのケースからのカバーのはみ出し量を変えることができるので、様々な大きさの開口に対応できる。
【００１２】
（６）上記形態において、前記第２突起は、前記カバーの端面から前記案内部に沿った方向にも突出していてもよい。
この形態によれば、第２突起の強度を高めることができる。
【００１３】
（７）上記形態において、前記カバーは、前記カバーの端面にリブを有してもよい。
この形態によれば、リブによりカバーの強度を高めることができる。
【００１４】
（８）上記形態において、前記ケースは、前記カバーを閉めるときに、前記閉位置で前記カバーを係止する第１ストッパを有してもよい。
この形態によれば、カバーを閉めるときに閉位置でカバーを係止する第１ストッパを備えるので、カバーが閉位置からさらに移動されて、操作部がカバーにより覆われなくなることを抑制できる。
【００１５】
（９）上記形態において、前記ケースは、前記カバーを開けるときに前記カバーを前記操作部へのアクセスが可能な全開位置で係止する第２ストッパを有してもよい。
この形態によれば、カバーが開けられるときには、カバーは、第２ストッパで係止されるため、カバーがケースから外れることを抑制できる。
【００１６】
なお、本発明は、種々の形態で実現することが可能であり、例えば、セキュリティ端末の他、セキュリティ端末の防塵構造、防塵方法等の形態で実現することができる。
【図面の簡単な説明】
【００１７】
【図１】第１実施形態のセキュリティ端末と被取付部とを示す説明図である。
【図２】セキュリティ端末の本体を裏側からみた斜視図である。
【図３】カバーが閉められた閉位置にある状態を示す説明図である。
【図４】カバーが開けられた全開位置にある状態を示す説明図である。
【図５】カバーが閉位置（図４）にあるときの係合機構を拡大して示す説明図である。
【図６】カバーが閉位置にないときの係合機構を拡大して示す説明図である。
【図７】ベース部材を示す説明図である。
【図８】カバーが閉位置にないときの本体とベース部材をケース側からみた説明図である。
【図９】カバーの他の形状を示す説明図である。
【図１０】第２実施形態のセキュリティ端末の本体を示す説明図である。
【図１１】第２実施形態に用いられるカバーを示す説明図である。
【図１２】図１１に示すカバーの断面を示す説明図である。
【図１３】第３実施形態におけるカバーが閉位置にあるときの係合機構を拡大して示す説明図である。
【発明を実施するための形態】
【００１８】
・第１実施形態：
図１は、第１実施形態のセキュリティ端末２０と被取付部５０とを示す説明図である。図２は、セキュリティ端末２０の本体１０を裏側からみた斜視図である。セキュリティ端末２０は、ＩＤカードを認証するためのセキュリティシステムの一部であり、ドアの近傍の壁や柱（以下「壁等」と呼ぶ。）に設置される。セキュリティ端末２０は、本体１０とベース部材４０とを備える。本体１０は、ベース部材４０を介して壁等に設けられた被取付部５０に取り付けられる。
【００１９】
被取付部５０は、壁や柱に取り付けられる部材であり、収納部５１とフランジ部５２とを備える。収納部５１は、セキュリティ端末２０の本体１０の背面に設けられているケースを収納可能な中空の箱形状を有している。フランジ部５２には、ベース部材４０が取り付けられる。被取付部５０としては、例えば規格品であるＪＩＳボックスが用いられても良い。
【００２０】
ベース部材４０は、略板状の部材であり、収納部５１に対応する位置であるほぼ中央に開口４１を有している。開口４１の大きさについては、後述する。開口４１の周りの外縁部４２には、立設部４３が設けられている。立設部４３には、本体を固定するためのネジ穴４４が形成されている。
【００２１】
本体１０は、略矩形のパネル１１と、パネル１１の背面に設けられ収納スペースを形成するケース１４と、ケース１４の背面に設けられたカバー１６と、を備える。パネル１１の表面には、リーダ１２が設けられている。リーダ１２は、ＩＤカードがかざされると、ＩＤカードとの間で通信を行い、ＩＤカードに記憶されているデータを読み込む。読み込まれたデータは、図示しないコンピュータに送られて認証される。その認証結果により、ドアの開閉が制御される。リーダ１２の代わりに、指紋、静脈、掌形を検知する検知部や、タッチセンサ等を備える構成であってもよい。認証方式については、ＩＤカード認証に限定されず、様々な方式を採用可能である。
【００２２】
パネル１１の側面には、ネジ穴１３が設けられており、本体１０は、ネジ６０により、ベース部材４０のネジ穴４４に留められる。パネル１１の大きさは、ベース部材４０の外形よりも大きく、本体１０がベース部材４０に取り付けられると、ベース部材４０はパネル１１により隠される。ネジ６０がパネル１１の端面から飛び出さないように、ネジ穴１３は、パネル１１の端面から凹んでいることが好ましい。
【００２３】
ケース１４が形成する収納スペースには、セキュリティ端末２０として必要な電子機器や操作部１４２が収納される。ケース１４の背面には、操作部１４２に対応する位置に複数の開口１４３が設けられている。なお、開口１４３は１つでもよい。操作部１４２は、例えばジャンパーピン用の端子やディップスイッチを含んでいる。ジャンパーピン用の端子の接続やディップスイッチの状態により、セキュリティ端末２０の設定が為される。カバー１６は、複数の開口１４３を覆う位置（「閉位置」）と、複数の開口１４３を覆わない位置と、の間をスライドして移動する（単に「移動」と呼ぶ。）ように設けられている。カバー１６が、複数の開口１４３を覆わない位置にある場合には、開口１４３及び開口１４３の中の操作部１４２へのアクセスが可能である。
【００２４】
ケース１４は、開口１４３の周辺に、カバー１６の移動を案内する案内部１４４と、第１ストッパ１４８とを備える。案内部１４４は、開口１４３を挟んだ位置に、カバー１６の幅に対応した距離だけ離間して対向するよう、かつ平行に設けられている。カバー１６が、案内部１４４に案内されて、閉位置から移動する仕組みおよびその移動範囲を制限している構造などについては、後述する。
【００２５】
図３は、カバー１６が閉められた閉位置にある状態を示す説明図であり、図４は、カバー１６が開けられた全開位置にある状態を示す説明図である。カバー１６が閉位置にある場合には、操作部１４２及び開口１４３はカバー１６に隠される。従って、操作部１４２及び開口１４３への塵埃の侵入を抑制できる。一方、カバー１６が閉位置にない場合、例えば図４のように、全開位置にある場合には、操作部１４２及び開口１４３はカバー１６に隠されておらず、操作部１４２へのアクセスが可能である。
【００２６】
カバー１６が閉位置にある場合には、カバー１６の端面１６６は、ケース１４の端面１４６よりも外縁側にはみ出ていない。一方、カバー１６が閉位置にない場合には、カバー１６の端面１６６は、ケース１４の端面１４６よりも外縁側にはみ出ている。但し、カバー１６が閉位置にある場合において、カバー１６の端面１６６がケース１４の端面１４６から僅かにはみ出ても、後述する関係が満たされれば良い。
【００２７】
図３からわかるように、カバー１６が閉位置にあるときには、第１ストッパ１４８とカバー１６の端面１６８とが接触している。すなわち、第１ストッパ１４８は、カバー１６を閉位置に移動させるときに、閉位置を越えてカバー１６が移動し過ぎないように、カバー１６を係止してその移動範囲を規制する。なお、カバー１６を閉位置で係止できる構成を有していれば、第１ストッパ１４８は無くても良い。
【００２８】
図５は、カバー１６が閉位置（図４）にあるときの係合機構を拡大して示す説明図である。係合機構は、案内部１４４に設けられた第１突起１４５と、カバー１６に設けられた第２突起１６２と、を備える。第２突起１６２は、第１突起１４５よりも、カバー１６の移動方向の大きさが大きい。第２突起１６２は、カバー１６の移動方向の略中央部に、第１突起１４５と係合可能な凹部１６３を備える。カバー１６が閉位置にあるときには、第１突起１４５が、第２突起１６２の凹部１６３に係合する。係合状態では、カバー１６を閉位置から閉位置でない位置に移動させるには、第１突起１４５が、第２突起１６２を越えなければならないので、力を要する。従って、閉位置では、カバー１６が閉位置から移動しないようにカバー１６の位置を維持し、カバー１６が自然に開くことを抑制できる。なお、この力は、閉位置を除く位置でのカバー１６の移動に要する力よりも大きい。
【００２９】
本実施形態では、第２突起１６２は、カバー１６の案内部１４４側の端面（「カバー１６の幅方向の端面」とも呼ぶ。）に設けられているが、カバー１６の幅方向の端面上であれば、どこに設けられていてもよい。なお、第１突起１４５は、カバー１６の閉位置における凹部１６３に対応する位置に設けられる。第２突起１６２は、カバー１６を閉位置にないときから閉位置に移動させるときに、第１突起１４５を挿入し易い形状を有していることが好ましい。本実施形態では、第２突起１６２は、斜面１６９を備えており、第１突起１４５を凹部１６３に挿入し易くしている。第１突起及び第２突起は樹脂で形成されており、第１突起１４５が斜面１６９に接触すると、第１凸部１６４は斜面１６９に沿って外側に変形し、第１突起１４５が凹部１６３の位置に至ると、第１突起１４５の変形が元の状態に戻り、第１凸部１４５と第２凸部１６２とが係合する。本実施形態では、第２突起１６２は、第１突起１４５を挿入し易い形状として、斜面１６９を有しているが、斜面１６９以外の形状、例えば曲面であってもよい。
【００３０】
本実施形態では、凹部１６３の２つの側面のうち、第１凸部１４５よりも外縁側の側面１６４は、斜面１６９よりも急な斜面となっている。そのため、カバー１６が、閉位置よりも左方向に移動しようとしても、斜面１６４が第１凸部１４５の移動を制限するため、カバー１６を閉位置よりも左方向に移動しないようにできる。
【００３１】
図６は、カバー１６が閉位置にないときの係合機構を拡大して示す説明図である。カバー１６が閉位置にないときには、第１突起１４５が第２突起１６２の左側に位置するように、第１突起１４５が第２突起１６２からずれている。これにより、少なくとも凹部１６３から第２突起１６２の端までの長さ分は、カバー１６の端面１６６が、閉位置よりも外側に移動している。その結果、カバー１６の端面１６６は、ケース１４の端面１４６から外縁側にはみ出る。次に、ベース部材４０の開口４１の大きさと、ケース１４及びカバー１６０が閉位置にないときにおけるカバー１６のケース１４からのはみ出し量大きさの関係について説明する。
【００３２】
図７は、ベース部材４０を示す説明図である。ベース部材４０は、上述した略板状の部材であり、開口４１と、立設部４３と、ネジ穴４４と、を備える。開口４１は、本体１０のケース１４を収納できる大きさを有する。開口４１のカバー１６の移動方向に沿った大きさをＬ１とする。
【００３３】
図８は、カバー１６が閉位置にないときの本体１０とベース部材４０をケース１４側からみた説明図である。本実施形態では、カバー１６が閉められた閉位置にあるときのケース１４とカバー１６とを開口４１から見たときのカバー１６の移動方向の大きさは、開口４１の同方向の大きさよりも小さく、カバー１６が閉位置にないときのケース１４とカバー１６とを開口４１から見たときの同方向の大きさは、開口４１の同方向の大きさよりも大きい。具体的には、ケース１４のカバー１６の移動方向の大きさをＬ２、閉位置にないときのカバー１６の端面１６６のケース１４の端面１４６からのはみ出し量をＬ３とする。Ｌ２＜Ｌ１＜Ｌ２＋Ｌ３の関係を満たしている。この場合、カバー１６が閉位置にないときには、カバー１６またはケース１４のいずれかが開口４１に引っかかるため、ケース１４は開口４１を通れず、ケース１４とカバー１６を被取付部５０に収納することができないか、収納が著しく困難である。その結果、カバー１６が閉位置にはないことが分かる。すなわち、カバー１６の閉め忘れを防止できる。一方、カバー１６が閉位置にあるときでは、ケース１４は、開口４１を通れるので、ケース１４とカバー１６を被取付部５０に収納することが可能となる。ここで、カバー１６が閉位置にあれば、収納時の操作部１４２や開口１４３はカバー１６により隠されている。
【００３４】
以上、本実施形態によれば、カバー１６が閉位置にないときには、開口４１を通してケース１４を被取付部５０に収納することができないので、カバー１６の閉め忘れを防止できる。一方、カバー１６が閉位置にあるときには、開口４１を通してケース１４を被取付部５０に収納することができるとともに、操作部１４２や開口１４３への塵埃の侵入を抑制できる。
【００３５】
本実施形態は、カバー１６を閉位置で保持する係合機構、具体的には、第１突起１４５、第２突起１６２、凹部１６３を備える構成を有している。その結果、カバー１６は、閉位置で保持されるので、ケース１４を開口４１に挿入するときや挿入後のカバー１６は、移動し難い。
【００３６】
本実施形態によれば、第１突起１４５は案内部１４４に設けられ、第２突起１６２は、カバー１６に設けられている。この構成によれば、第２突起１６２の大きさを変えることで、閉位置にないときのケース１４からのカバー１６のはみ出し量を変えることができる。したがって、第２突起１６２の大きさを変えるだけで、様々な大きさの開口４１に対応できる。
【００３７】
図９は、カバー１６の他の形状を示す説明図である。このカバー１６は、第２突起１６２が端面１６８から突出していない点が異なる。このように、第２突起１６２が端面１６８から突出しない構成であってもよい。第１実施形態と同様の効果を有する。
【００３８】
・第２実施形態：
図１０は、第２実施形態のセキュリティ端末の本体１０を示す説明図である。図１０では、カバー１７を外した状態を示している。第１実施形態のセキュリティ端末の本体１０との違いは、ケース１４が、カバー１７が一定以上開いてカバー１７がケース１４から脱落することを抑制する第２ストッパ１４９を備える点である。
【００３９】
図１１は、第２実施形態に用いられるカバー１７を示す説明図である。第２実施形態では、カバー１７が、その４つの端面１７４〜１７７に、カバー１７を為す平面からケース１４方向に向けて略垂直に立つリブを有している点で第１実施形態と異なる。第２実施形態では、４つの端面１７４〜１７７がリブを備えているので、カバー１７の強度を高めることができる。
【００４０】
カバー１７は、端面１７４のリブに第２凹部１７８を備える。カバー１７が閉位置にあるときには、この第２凹部１７８に、第２ストッパ１４９がちょうど収まり、操作部１４２への塵埃の侵入を防止する。
【００４１】
また、カバー１７が開けられるときには、第２凹部が設けられた端面１７４と反対側の端面１７５に第２ストッパ１４９が接触するので、カバー１７を開け過ぎてケース１４から脱落することを防止できる。すなわち、本実施形態では、カバー１７の端面１７４〜１７７がケース１４方向を向いたリブを備えることで、カバー１７とケース１４との間に、第２ストッパ１４９が通過できる空間を形成する構成を実現できる。なお、第２ストッパ１４９は設けなくても良い。この場合、第２凹部１７８は不要である。塵埃の侵入を抑制できる。また、第２ストッパ１４９を、案内部１４４に設けても良い。第２突起１６２が第２ストッパ１４９に当たり、カバー１７の脱落を抑制できる。
【００４２】
図１２は、図１１に示すカバー１７の断面を示す説明図である。カバー１７の端面１７６、１７７に、フランジ部１７９が設けられている。本実施形態ではフランジ部１７９及び第２突起１７２（図１１）が、ケース１４の案内部１４４に収まる。この結果、案内部１４４が薄い構造であっても、カバー１７のリブの高さを高くして第２ストッパ１４９が通過できる空間を形成できる。なお、フランジ部１７９は無くてもよい。
【００４３】
上記各実施形態では、案内部１４４に第１突起１４５を有し、カバー１６に第２突起１６２及び凹部１６３を有する構成であったが、案内部１４４に第２突起及び凹部を有し、カバー１６に第１突起を有する構成であってもよい。すなわち、案内部１４４とカバー１６のうちの一方の部材に設けられ、他方の部材に突出する第１突起と、他方の部材に設けられ一方の部材に突出する第２突起であって、第１突起よりも移動方向の大きさが大きい第２突起と、第２突起に設けられた凹部を備えれば良い。また、上記各実施形態では、係合機構を２組備えているが、１組のみ備える構成であってもよい。
【００４４】
上記各実施形態では、第１突起１４５と凹部１６３の係合により係合機構を有しているが、係合機構は、電磁的な係合機構であってもよい。例えば、第１突起及び第２突起に対応する位置に、磁石をそれぞれ備える、あるいは磁石と磁石につく金属をそれぞれ備える構成でもよい。なお、係合機構は必ずしも必要では無い。
【００４５】
・第３実施形態：
図１３は、第３実施形態におけるカバー１６が閉位置にあるときの係合機構を拡大して示す説明図である。第３実施形態は、第１実施形態と比較すると、第２突起１６２の形状が異なっている。第１実施形態の第２突起１６２は、凹部１６３を備えているが、第３実施形態の第２突起１６２は、凹部１６３に対応する位置よりもカバー１６の開き側の部分における第２突起１６２の部分が削除されている。この形態においても、第１突起１４５と第２突起１６２の係合により、カバー１６が開かないように、カバー１６を閉位置で係止できる。なお、閉位置において、第２突起１６２の第１突起１４５側は、斜面１６５となっている。これは、カバー１６を開ける力を加えないときには、カバーを１６が開かないように係止し、カバー１６を開ける力を加えたときに、第２突起１６２が第１突起１４５を乗り越え易くするためである。
【００４６】
上記各実施形態では、カバー１６が、平行に移動するが、カバー１６がその１つの角を中心として回転移動する構成であってもよい。回転移動でも、カバー１６が閉位置にないときには、カバー１６がケース１４からはみ出るため、ケース１４が開口４１を通れない。その結果、カバー１６の閉め忘れを抑制できる。
【００４７】
本発明は、上述の実施形態に限られるものではなく、その趣旨を逸脱しない範囲において種々の構成で実現することができる。例えば、発明の概要の欄に記載した各形態中の技術的特徴に対応する実施形態の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００４８】
１０…本体
１１…パネル
１２…リーダ
１３…ネジ穴
１４…ケース
１６…カバー
１７…カバー
２０…セキュリティ端末
４０…ベース部材
４１…開口
４２…外縁部
４３…立設部
４４…ネジ穴
５０…被取付部
５１…収納部
５２…フランジ部
６０…ネジ
１４２…操作部
１４３…開口
１４４…案内部
１４５…第１突起
１４６…端面
１４８…第１ストッパ
１４９…第２ストッパ
１６２…第２突起
１６３…凹部
１６４…斜面
１６５…斜面
１６６…端面
１６８…端面
１６９…斜面
１７２…第２突起
１７４，１７５，１７６，１７７…端面
１７８…第２凹部
１７９…フランジ部
【図１】
2019028726.tif 000003
【図２】
2019028726.tif 000004
【図３】
2019028726.tif 000005
【図４】
2019028726.tif 000006
【図５】
2019028726.tif 000007
【図６】
2019028726.tif 000008
【図７】
2019028726.tif 000009
【図８】
2019028726.tif 000010
【図９】
2019028726.tif 000011
【図１０】
2019028726.tif 000012
【図１１】
2019028726.tif 000013
【図１２】
2019028726.tif 000014
【図１３】
2019028726.tif 000015